(57)【要約】      （修正有）【課題】天井の空間の中に装着するのに好適な複合型照明兼ラウドスピーカードライバー装置を提供する。【解決手段】複合型照明兼ラウドスピーカードライバー装置１０は、ラウドスピーカードライバー２０と、熱除去要素１２０と、光源１１０と、筐体１５を備える。熱除去要素は、柱部分１２０ａを含む。柱部分は、筐体の後方への中央長手方向軸の付近に形成されるヒートシンク４０に熱的に接続される。熱源である光源は、柱部分の前方端上に装着される。柱部分は、光源から遠ざかるように熱の伝導を最適化する。筐体はほぼカップ形状であり、側壁１５ａを有する。筐体の側壁の内部は、その後方への奥行きの大部分にわたって筐体の中央長手方向軸に平行である。この結果、ラウドスピーカー振動板１３０の裏に大きな空間ができ、向上した音をもたらす。【選択図】図１
2020005297.tif 000002
【特許請求の範囲】
【請求項１】
複合型照明兼ラウドスピーカードライバー装置であって、
前記装置の中央長手方向軸の周りに形成される開口を有するラウドスピーカー振動板を有するラウドスピーカードライバーを備え、前記中央長手方向軸は前記装置の前方方向および後方方向を規定し、さらに
前記ラウドスピーカードライバーを支持するための筐体と、
前記中央長手方向軸に対して前記ラウドスピーカー振動板の前記開口の径方向内側に位置決めされかつ光を前方にかつ前記装置から遠ざかるように向けるように構成される光源と、
前記装置の前記中央長手方向軸に沿って前記筐体の後方に形成される少なくとも軸方向中央部を有するヒートシンクと、前記装置の前記中央長手方向軸に沿って前記前方方向に前記ヒートシンクの前記軸方向中央部から延在する熱除去柱とを備える熱除去要素とを備え、前記光源は前記熱除去柱の前方端に装着される、装置。
【請求項２】
ラウドスピーカーコーンの後方、すなわち前記ヒートシンクの前記軸方向中央部のすぐ隣の前記筐体の後方部分と前記筐体の前記後方部分から前記ラウドスピーカー振動板に近位の前記筐体の前方部分に前方へ延在する前記筐体の内側側壁との間に空間が規定され、前記側壁は、前記装置の長さの大部分にわたって前記後方方向に前記熱除去柱に収束しない、請求項１に記載の装置。
【請求項３】
前記側壁は、前記ヒートシンクの前記軸方向中央部のすぐ近位の前記筐体の前記後方部分までは前記後方方向に前記熱除去柱に収束しない、請求項２に記載の装置。
【請求項４】
前記筐体の内部は、前記振動板から前記ヒートシンクの前記軸方向中央部に近位の前記筐体の前記後方部分に、前記長手方向軸に平行に後方に延在する空隙を設ける、いずれかの先行する請求項に記載の装置。
【請求項５】
前記ヒートシンクは前記筐体の最後方部を形成する、いずれかの先行する請求項に記載の装置。
【請求項６】
前記ヒートシンクは第１の複数のフィンを備え、各々のフィンは前記長手方向軸から径方向に延在する、いずれかの先行する請求項に記載の装置。
【請求項７】
前記ヒートシンクはさらに、前記筐体の外側側壁に沿って延在する第２の複数のフィンを備える、請求項６に記載の装置。
【請求項８】
前記第２の複数のフィンは前記第１の複数のフィンに熱的に接続される、請求項７に記載の装置。
【請求項９】
前記光源は、前記装置の前記ラウドスピーカー振動板から遠ざかるように光を向けるように構成される、いずれかの先行する請求項に記載の装置。
【請求項１０】
前記光源は、前記ラウドスピーカー振動板の前記開口の前方に位置決めされる、いずれかの先行する請求項に記載の装置。
【請求項１１】
前記光源は、１つのＬＥＤまたはより多くのＬＥＤを備える、先行する請求項に記載の装置。
【請求項１２】
前記ＬＥＤまたは各々のＬＥＤは、燐光材料で被覆される、含浸される、または燐光材
料から形成されるカバー部材の方を向くように装着される青色またはＵＶ  ＬＥＤである、請求項１１に記載の装置。
【請求項１３】
前記カバー部材は前記青色またはＵＶ  ＬＥＤのための囲いを形成する、請求項１２に記載の装置。
【請求項１４】
前記カバー部材の外面は半透明の白色被覆を備える、請求項１２または１３に記載の装置。
【請求項１５】
前記光源の前に装着されるレンズまたはレンズアレイをさらに備える、いずれかの先行する請求項に記載の装置。
【請求項１６】
前記レンズまたはレンズアレイは、前記光源の前に取外し可能に装着される、請求項１５に記載の装置。
【請求項１７】
前記レンズまたはレンズアレイは、前記光源の前に磁気的にまたは機械的に装着される、請求項１５または１６に記載の装置。
【請求項１８】
前記ラウドスピーカー振動板は可撓性のロールサラウンドによって前記筐体に接続され、前記ロールサラウンドは凸状の後方面と凹状の前方面とを有する二重環として形作られる、いずれかの先行する請求項に記載の装置。
【請求項１９】
前記ラウドスピーカー振動板は逆円錐または円形放物面として形成される、いずれかの先行する請求項に記載の装置。
【請求項２０】
ドームの形態のツイーターメンブレンを有するドームツイーターをさらに備え、前記光源は前記ツイーターメンブレンの背後に位置決めされ、前記ツイーターメンブレンは、前記光源によって生成される光を受け、かつ前記装置から遠ざかるように、特に前記装置の前記ラウドスピーカー振動板から遠ざかるように、受けた前記光を透過するまたは放射するように構成される、いずれかの先行する請求項に記載の装置。
【請求項２１】
前記ツイーターメンブレンは透明または半透明である、請求項２０に記載の装置。
【請求項２２】
前記ツイーターメンブレンは、前記光源によって生成される光を受け、受けた前記光を吸収し、かつ光を前記装置から遠ざかるように発するように適合される蛍光または燐光材料で形成される、被覆される、または含浸される、請求項２０または２１に記載の装置。
【請求項２３】
前記ＬＥＤまたは各々のＬＥＤは、前記ツイーターメンブレンの方を向くように装着される青色またはＵＶ  ＬＥＤである、請求項１１に従属した場合の請求項２２に記載の装置。
【請求項２４】
前記ツイーターメンブレンの外面は半透明の白色被覆を備える、請求項２０から２３のいずれかに記載の装置。
【請求項２５】
前記長手方向軸に対して前記ラウドスピーカー振動板中の前記開口の径方向内側および前記光源の径方向外側に位置決めされるリングラジエーターツイーターをさらに備える、請求項１から１９のいずれか１項に記載の装置。
【請求項２６】
前記ラウドスピーカー振動板の前面の前方に装着されるスピーカーグリルをさらに備える、いずれかの先行する請求項に記載の装置。
【請求項２７】
前記スピーカーグリルは光拡散性および／または透明／半透明のいずれかである、請求項２６に記載の装置。
【請求項２８】
前記スピーカーグリルは、前記装置から遠ざかるような前記光源からの光の出射を可能にするアパーチャーを備える、請求項２５または２６に記載の装置。
【請求項２９】
前記スピーカーグリルは、前記アパーチャーと同心の複数の反射面を有し、各々の反射面は、前記光源からの光を前記装置から遠ざかるように反射するように配置される、請求項２６から２８のいずれかに記載の装置。
【請求項３０】
前記グリルの前記アパーチャーの中に位置決めされるレンズをさらに備える、請求項２６から２９のいずれかに記載の装置。
【請求項３１】
前記スピーカーグリルは光ファイバーを含む、請求項２６から３０のいずれかに記載の装置。
【請求項３２】
マイクと、前記光および音を制御するために音声および電気信号を送受信するように構成される無線トランシーバーとをさらに備える、いずれかの先行する請求項に記載の装置。
【発明の詳細な説明】
【技術分野】
【０００１】
発明の分野
本発明は、照明兼ラウドスピーカードライバー装置に関し、複数のそのような装置を備えるシステムにも関する。
【背景技術】
【０００２】
発明の背景
壁または天井内に同一平面に装着することができるラウドスピーカードライバーは長年にわたって市販されている。そのようなドライバーは、部屋中に均一に高い音質を送達するように開発されている。ドライバーは、たとえば塗装可能なグリルを有することによって天井または壁に溶け込むように設計されている。それらはホームシネマシステムに特に適用可能であるが、耐水性であるようにも開発されており、そのため屋外または浴室内に装着することができる。より最近の変形は、たとえばブルートゥース（登録商標）または８０２．１１無線ネットワークを介して音声情報を送信できるようにする無線能力を組み入れている。それでも、そのようなラウドスピーカードライバーの設置は特別かつ高価な作業である。
【０００３】
伝統的な天井装着室内照明具は、白熱、ハロゲン、蛍光、またはより最近ではＬＥＤベースの光源のアレイを用いる。たとえば、多面的な反射型電球のアレイが天井の中の複数の（通常は円形の）凹部内に設置されることがあり、照明は、典型的には変圧器を天井の空間中に設けておいて、２４０Ｖまたは１２Ｖのいずれかで照明具リングの周りに直列に配線される。そのような配置の課題の１つは、照明が生成する熱が過剰にならないことを確実にすることである。
【０００４】
ＬＥＤ技術によって異なる形状因子および適合レベルが可能になるとともに照明がより洗練されるにつれて、照明の設定、環境、および雰囲気の制御は、複雑な（おそらくは改装された）壁の取付部品、スマートフォンアプリ、または専用の携帯型遠隔照明具コントロールを通じたより一層高度な制御を要求している。
【０００５】
以上に係るさらなる課題は、ラウドスピーカードライバーの第１のアレイと照明の第２のアレイとを設けると、天井が雑然として見た目の魅力が低下する可能性があることである。天井の空間は、音響ユニットおよび照明具ユニットのアレイに電力供給するための広範囲の電源ならびにより低電圧のケーブルおよびコネクタでいっぱいにもなってしまう。
【０００６】
たとえば、ＵＳ２００７２２２６３１は、中央ラウドスピーカードライバーの周の付近にＬＥＤが装着された装置を記載する。ドライバーは、ウーファーと複数のツイーターとの両方を備える。ツイーターはウーファーの前に位置し、音質を向上させるように設備の外側に位置決めされ得る。結果的に得られる装置は、照度が比較的劣っており、かつ複雑で不便な構造のために音の出力が損なわれる。
【０００７】
ＥＰ２，４９８，５１２Ａ２は、環形状に形成される振動板と、発光部材と、発光部材が熱放射セクションに発光すると生成される熱を伝導する熱制御部材とを含むスピーカー機器を記載する。熱制御部材の少なくとも一部は振動板の中心軸を含む軸の上に設けられ、発光部材は熱制御部材の端面上に配設される。
【０００８】
スピーカー機器は、電源入力セクションとして設けられる基部を有する。スピーカー機器１には、壁または天井に設けられる電源コネクタの中に基部を挿入することによって容
易に電力を供給することができる。さらに、基部によって、壁または天井にスピーカー機器１を保持するための保持セクションの必要性がなくなり、したがってスピーカー機器１を小型にすることができる。換言すると、標準的な電球用の既存の電力コンセントに装置を嵌めることができる。
【０００９】
それにも拘らず、以上のさまざまな装置はすべて、照明具、音、またはその両方の観点での欠陥を表わしている。本発明は、先行技術のこうした課題に対処しようとしている。
【発明の概要】
【課題を解決するための手段】
【００１０】
発明の要約
本発明の第１の局面に従うと、複合型照明兼ラウドスピーカードライバー装置が提供される。装置は、装置の中央長手方向軸の付近に形成された開口を有するラウドスピーカー振動板を有するラウドスピーカードライバーを備える。中央長手方向軸は、装置の前方方向および後方方向を規定する。装置は、ラウドスピーカードライバーを支持するための筐体と、中央長手方向軸に対してラウドスピーカー振動板の開口の径方向内側に位置決めされかつ光を前方にかつ装置から遠ざかるように向けるように構成される光源と、熱除去要素とも備える。熱除去要素は、装置の中央長手方向軸に沿って筐体の後方に形成される少なくとも軸方向中央部を有するヒートシンクと、装置の中央長手方向軸に沿って前方方向にヒートシンクの軸方向中央部から延在する熱除去柱とを備える。光源は、熱除去柱の前方端に装着される。
【００１１】
有利には、本発明は、光源から長手方向軸に沿って筐体におよびヒートシンクの軸方向中央部に後方に延在する熱除去柱を設ける。そのような構成によって、光源によって生成される熱が、熱の源から遠隔の装置の一部へと遠ざかるように直接に効率的に伝達されるようになる。したがって、光源からヒートシンクに熱が取る経路は、他の構成要素の付近で横向きに熱を伝達する構成よりもより直接的である。より直接的な経路は、熱除去要素に沿った熱勾配を大きくし、装置からの熱のより効率的な除去を可能にする。装置からの熱の効率的な除去を確実にすることにより、装置はより効率的に動作し得、そのように効率的には熱を除去しない装置の場合にはさもなければ適切であろうよりも高出力の光源を用いてもよい。
【００１２】
さらに、長手方向軸に沿って筐体の軸方向中央部に延在する熱除去柱を設けることにより、本発明は、ラウドスピーカー振動板の裏に空隙を内包する装置を提供する。他の装置では、振動板の裏の空間の中の（熱除去要素などの）構成要素がラウドスピーカー振動板の裏の空気の流れを妨げる。これに対し、本発明は、後方に延在し、したがって振動板の裏の空気の流れを妨げない熱除去柱を設ける。これは有利には、向上した音質をもたらし得る。
【００１３】
さらに、本発明は、先行技術の装置と比較して改良された照射を提供する。これは少なくとも部分的には、ＬＥＤが本発明の装置の中央に位置決めされるからである。ラウドスピーカーの周の付近に配設されるＬＥＤを含む先行技術の装置は、十分な品質の光を発生しない。装置の中央に光源（たとえばＬＥＤまたはＬＥＤのアレイ）を設けることによって、本発明は、機能的な作業用照明具に使用可能なより集束した光源を提供する。
【００１４】
空間は、ラウドスピーカーコーンの後ろ、すなわちヒートシンクの軸方向中央部のすぐ隣の筐体の後方部分と、筐体の後方部分からラウドスピーカー振動板の近位の筐体の前方部分に前方に延在する筐体の内側側壁との間に規定され得る。側壁は、装置の長さの大部分にわたって後方方向に熱除去柱に収束しない。換言すると、筐体によって形成される空間は、装置の後ろに向かうまでは、後方方向に狭くならない。これによって、装置が発生
する音の品質を向上させる、ラウドスピーカーの裏の空気の容量が与えられる。先行技術の装置では、筐体は、装置が標準的な取付部品に嵌合可能となるように形作られる。ラウドスピーカードライバーのすぐ裏で大幅に狭くなるこの電球形状は、振動板の裏に大きな空隙を設けない。したがって、音の品質は、先行技術の装置と比較して、この出願に記載されるように形作られる装置によって向上する。
【００１５】
側壁は、ヒートシンクの軸方向中央部のすぐ近位の筐体の後方部分までは後方方向に熱除去柱に収束しなくてもよい。
【００１６】
筐体の内部は、長手方向軸に平行の、装置の前方から後方に延在する側壁を有してもよい。この構成は、空気が振動板の裏を流れるようにすることによって、向上した音質を提供する。
【００１７】
筐体の内部には、振動板から筐体の後方部へ長手方向軸に平行に後方に延在する空隙を設けてもよい。振動板のすぐ裏の空隙を設けることにより、装置の音質を向上させ得る。
【００１８】
ヒートシンクは、筐体の最後方部を形成してもよい。これにより、熱除去柱が接続される筐体の一部から直接に熱が放散されるようになる。筐体の側方も、ヒートシンクの一部であってもよい。筐体の後部から筐体の側方の下へ延在するヒートシンクを設けることによってヒートシンクの表面積が増大し、向上した熱の放散が可能になる。
【００１９】
ヒートシンクは第１の複数のフィンを備えてもよい。各々のフィンは、長手方向軸から径方向に延在してもよい。ヒートシンクは、筐体の外側側壁に沿って延在する第２の複数のフィンをさらに備えてもよい。第２の複数のフィンは、第１の複数のフィンに熱的に接続されてもよい。
【００２０】
光源は、装置のラウドスピーカー振動板から遠ざかるように光を向けるように構成されてもよい。これによって、光源からの光と移動する振動板との間の相互作用が低減される。（たとえば振動板の影が落ちることによって）光が振動板と相互作用すると、ラウドスピーカーの動作の際に振動板が振動したときに（「フラッター」と呼ばれることがある）所望されない視覚的影響が生じることがある。ラウドスピーカーメンブレンから遠ざかるように光を向けるように光源を構成することによって、本発明は、向上した音響品質と向上した照明品質とを提供する。
【００２１】
フラッターの問題は先行技術の装置では同定されなかった。これは、既存の装置が高い品質の音を発生せず、そのため振動板の振動の振幅が比較的小さいからであると考えられる。これに対し、本発明は向上した音響出力を提供するので、振動板のより大きな振幅の振動が観察される。したがって、より良い品質の音響出力を与える装置では、ラウドスピーカー振動板の影の動きがより顕著である。振動板から遠ざかるように光を向けることにより、本発明は、装置から発生する光の品質を損なうことなく、向上した音響品質を送達できるようになる。
【００２２】
光源は、ラウドスピーカー振動板の開口の前方に位置決めされてもよい。振動板の前方に光源を位置決めすることにより、本発明は、光源からの光と振動板との間の相互作用を低減する。これは、以上で言及したフラッターの問題に対処するのを助ける。
【００２３】
光源は、部屋に機能的照射を提供するように構成されてもよい。機能的照射とは、室内の人が作業を行なうのに十分な程度見えるように部屋の大部分に光を与えるのに十分強力な照射である。いくつかの既存の複合型照明具兼ラウドスピーカー装置は、機能的照射よりもむしろ装飾的照射しか提供していない。このことは、低出力の装飾照明具が発生する
熱の量がわずかでしかないために、そのような装置では装置から熱を除去する必要性がなかった理由を説明し得る。これに対し、本発明は、標準的な照明具システムの置換物として、有利には部屋に対する機能的照射を提供する。システムは、特定の区域に向けられる作業用照明具を提供し得るか、またはより広い区域に対する拡散型一般的照明具を提供し得る。
【００２４】
光源は、１つのＬＥＤまたは複数のＬＥＤを備えてもよい。ＬＥＤまたは複数のＬＥＤは、燐光材料で被覆される、含浸される、または燐光材料から形成されるカバー部材の方を向くように装着される青色またはＵＶ  ＬＥＤであってもよい。カバー部材は、青色またはＵＶ  ＬＥＤのための囲いを形成し得る。カバー部材の外面は、半透明の白色被覆を備えてもよい。有利には、被覆は、黄色であり得るカバー部材上の燐光材料の外観を隠す。
【００２５】
装置はさらに、光源の前に装着されるレンズまたはレンズアレイを備えてもよい。有利には、部屋の特定の区域に光を向けるためにレンズを用いることができ、レンズは、装置が与える照射をどのように拡散させるかまたは標的付けするかを調整することができる。
【００２６】
レンズまたはレンズアレイは、光源の前に取外し可能に装着されてもよい。レンズまたはレンズアレイは、光源の前に磁気的にまたは機械的に装着されてもよい。レンズまたはレンズアレイは、光源からの照射の方向および／またはビーム角を調整するように用いられてもよい。
【００２７】
ラウドスピーカー振動板は、可撓性のロールサラウンドによって筐体に接続されてもよく、ロールサラウンドは、凸状の後方面と凹状の前方面と有する環として形作られる。ロールサラウンドは、振動板が振動すると振動する。これは、以上で言及したフラッターの問題に寄与することができる。前で凹状のロールサラウンドを設けることにより、前方への振動部の突出が低減される。したがって、フラッターの問題は、「逆さにした」ロールサラウンドを設けることによっても低減され得る。これは、典型的には前方に突出する標準的なスピーカーのロールサラウンドとは対照的である。
【００２８】
ラウドスピーカー振動板は、逆円錐または円形放物面として形成されてもよい。これらの形状は、装置が発生する音の品質をさらに向上させることができる。さらに、平らなまたは凹状のプロファイル（すなわち前方に突出しないプロファイル）を有する振動板を設けることにより、振動する振動板と光源との間の相互作用が低減される。これは、以上で論じたフラッターの問題に対処するのを助けることができる。
【００２９】
装置はさらに、ドームの形態のツイーターメンブレンを有するドームツイーターを備えてもよい。光源は、ツイーターメンブレンの裏に位置決めされてもよい。ツイーターメンブレンは、光源によって生成される光を受け、かつ装置から遠ざかるように、特に装置のラウドスピーカー振動板から遠ざかるように、受けた光を透過するまたは放射するように構成されてもよい。
【００３０】
したがって、有利には、本発明は、低周波音を発生するためのラウドスピーカー振動板と、高周波音を発生するためのツイーターメンブレンとを内蔵する小型の装置を提供する。したがって、そのような装置が音響出力の品質を向上し得る。透明なツイーターメンブレンを設けることにより、光源をツイーターメンブレンの裏に載置してより小型の装置を作製してもよい。さらに、装置の長手方向軸上に構成要素を位置決めすることにより、熱除去柱によって光源および他の構成要素からの熱の除去を効果的に達成することができる。
【００３１】
ツイーターメンブレンは透明または半透明であってもよい。ツイーターメンブレンは、光源によって生成される光を受け、受けた光を吸収し、かつ装置から遠ざかるように光を発するように適合される蛍光または燐光材料で形成、被覆、または含浸されてもよい。ＬＥＤは、ツイーターメンブレンの方を向くように装着される青色またはＵＶ  ＬＥＤであってもよい。ツイーターメンブレンの外面は半透明の白色被覆を備えてもよい。
【００３２】
装置はさらに、長手方向軸に対して、ラウドスピーカー振動板中の開口の径方向内側にかつ光源の径方向外側に位置決めされるリングラジエーターツイーターを備えてもよい。したがって、有利には、本発明は、低周波音を発生するためのラウドスピーカー振動板と高周波音を発生するためのリングラジエーターツイーターとを内蔵する小型の装置を提供する。したがって、そのような装置が音響出力の品質を向上し得る。リングの形態のツイーターを設けることによって、光源がリングの中央に載置され、より小型の装置を作製し得る。さらに、装置の長手方向軸上に構成要素を位置決めすることにより、熱除去柱によって光源および他の構成要素からの熱の除去を効果的に達成することができる。
【００３３】
装置はさらに、ラウドスピーカー振動板の前面の前方に装着されるスピーカーグリルを備えてもよい。スピーカーグリルは、光拡散性および／または透明／半透明であってもよい。スピーカーグリルは、装置から遠ざかるような光源からの光の出射を可能にするアパーチャーを備えてもよい。スピーカーグリルは、アパーチャーと同心の複数の反射面を有してもよく、各々の反射面は、光源からの光を装置から遠ざかるように反射するように配置される。
【００３４】
装置はさらに、グリルのアパーチャー中に位置決めされるレンズを備えてもよい。スピーカーグリルは光ファイバーを含んでもよい。
【００３５】
装置はさらに、１つ以上のマイクと、光および音を制御するために音響信号および電気信号を送受信するように構成される無線トランシーバーとを備えてもよい。
【００３６】
本発明に従うとさらなる実施形態も提供される。
本発明のさらなる局面に従うと、光源と、ラウドスピーカー振動板を有するラウドスピーカードライバーとを備える複合型照明兼ラウドスピーカードライバー装置が提供され、光源は、ラウドスピーカー振動板の径方向内側に位置決めされる。
【００３７】
ドライバー振動板の径方向内側に光源を位置させることにより、装置の前方および部屋の中に投下することができる光の量が向上する（というのも、ドライバー振動板は光源と部屋との間にはないからである）一方で、光源が音を遮らないので、音の出力も損なわれない。好ましい実施形態では、光源に熱的に接続されるヒートシンクを備える熱除去要素を設けてもよい。光源は、熱除去柱、熱パイプ、または熱伝導性グリルを介してヒートシンクに接続されてもよい。熱除去要素は装置の寿命を延ばし、装置が壁または天井に装着された際の火災の恐れを低減し、および／または高出力の光源を使用できるように（というのも、改良されたヒートシンクは、熱出力がより大きな光源を使用できるようにするからである）し得る。
【００３８】
ドライバー振動板は、たとえばドライバーコーンであってもよい。しかしながら、音響体験をさらに向上させるために、代替的に振動板を逆さにしてもよい。これは、高周波音に対するより広い分散を与え、これは、各々の装置下の「音のプール」を低減する。
【００３９】
本発明のさらなる局面に従うと、光源とラウドスピーカー振動板を有するラウドスピーカードライバーとを備える複合型照明兼ラウドスピーカードライバー装置が提供され、光源は、ラウドスピーカー振動板を通してかつ装置から遠ざかるように光を向けるように、
ラウドスピーカー振動板の裏に位置決めされ、ラウドスピーカー振動板は、光源によって生成される光を受け、かつ受けた光を装置から遠ざかるように透過するまたは放射するように構成される。
【００４０】
ここで、光源は、ドライバー振動板を通してかつ装置から遠ざかるように光を向けるように、ドライバー振動板の裏に位置決めされる。これは、スペースの節約だけでなく、ドライバー振動板が発光系の一部を形成するという理由で有利である。好ましい実施形態では、ドライバー振動板が光源と相互作用しかつ受けた光を装置から遠ざかるように発することができるように、ドライバー振動板を蛍光または燐光材料で被覆するか、または蛍光または燐光材料から形成することができる。例示的な実施形態では、光源は、青色または紫外線（ＵＶ）ＬＥＤであってもよく、ドライバー振動板を燐光体で形成、被覆、または含浸してもよい。
【００４１】
この発明の実施形態に従うドライバー振動板は、ウーファーのコーンを形成してもよい。これに代えて、振動板は、ツイーターのメンブレンを形成してもよい。
【００４２】
本発明のさらなる局面に従うと、光源と、スピーカーグリルおよびラウドスピーカー振動板を有するラウドスピーカードライバーとを備える複合型照明兼ラウドスピーカードライバー装置が提供され、スピーカーグリルは、ラウドスピーカー振動板の前方面の前に装着され、光源はグリル上に装着され、グリルは、光源からの光を複合型照明兼ラウドスピーカードライバー装置から遠ざかるように反射するように反射性である。
【００４３】
ここで、光源は、光が装置から遠ざかるように光源から反射されるように反射性スピーカーグリル上に装着される。好ましい実施形態では、スピーカーグリルは複数の反射面を備え、その上に、グリルの反射面のうち１つ以上に向けて光を放射するように複数の照明具要素が装着される。この好ましい実施形態は、室内に投下可能な光の量を最大にする。
【００４４】
発明は、各々がコントローラーと無線通信する、複数のそのような複合型照明兼ラウドスピーカードライバー装置を備えるシステムにも拡張される。コントローラーは、次に、スマートフォンもしくはＭＰ３プレイヤーなどの音源と無線通信してもよく、またはデジタルもしくはアナログラジオコンテンツ（ＤＡＢ、ＦＭ、ＡＭなど）もしくはストリーム配信された音楽をインターネット接続を介して受信するように構成されてもよい。
【００４５】
そのようなシステムの装置は、これに加えてまたはこれに代えて、システムユーザーからの口頭での指示を拾う１つ以上のマイクを含んでもよい。そのような指示により、ユーザーは、複数の複合型照明兼ラウドスピーカードライバー装置の光源のうち個別の１つ、一部、もしくはすべてをスイッチオンもしくはオフするまたは調光できるようになり得る。マイクは、ユーザーが音声を再生または停止するよう指示する、音量を上下させる、（たとえば、ストリーム配信された音楽サービスから特定されたＤＡＢラジオ局に）音源を変えるなどもできるようにし得る。複数の装置内で複数のマイクを用いることによって、ノイズキャンセリングおよび弁別が可能になる。たとえば、離間されたマイクにより、ユーザーが与える口頭の指示を、システム自体のラウドスピーカードライバーが発している周囲／背景雑音および／または音楽／発話からシステムコントローラーによって区別できるようになり得る。
【００４６】
本発明を多数のやり方で実践してもよく、以下の図面を参照して例示のみのためにいくつかの具体的な実施形態を説明する。
【図面の簡単な説明】
【００４７】
【図１】本発明の第１の実施形態に従う複合型照明兼ラウドスピーカードライバー装置の具体的な配置を示す図である。
【図２】本発明の第２の実施形態に従う複合型照明兼ラウドスピーカードライバー装置を示す図である。
【図３】本発明の第３の実施形態に従う複合型照明兼ラウドスピーカードライバー装置を示す図である。
【図４】本発明に従う複合型照明兼ラウドスピーカードライバー装置を通じて熱がどのように流れるかを示す図である。
【図５ａ】装置コントローラー／ドライバーとともに天井の空間内に装着される、本発明の局面を具現化する複合型照明兼ラウドスピーカードライバー装置を概略的な形態で示す図である。
【図５ｂ】図１ａの複合型照明兼ラウドスピーカードライバー装置の３つとｗｉｆｉ（登録商標）送信器／受信器を含む電球（スマートバルブ）とを含むシステムを概略的な形態で示す図である。
【図６】本発明の具体的な実施形態に従う複合型照明兼ラウドスピーカードライバー装置のより具体的な配置を示す図である。
【図７】本発明のさらなる具体的な実施形態に従う複合型照明兼ラウドスピーカードライバー装置を示す図である。
【図８】本発明のさらなる具体的な実施形態に従う複合型照明兼ラウドスピーカードライバー装置を示す図である。
【図９】本発明のさらなる具体的な実施形態に従う複合型照明兼ラウドスピーカードライバー装置を示す図である。
【図１０】本発明のさらなる具体的な実施形態に従う複合型照明兼ラウドスピーカードライバー装置を示す図である。
【図１１】本発明のさらなる具体的な実施形態に従う複合型照明兼ラウドスピーカードライバー装置を示す図である。
【図１２】本発明のさらなる具体的な実施形態に従う複合型照明兼ラウドスピーカードライバー装置を示す図である。
【図１３】本発明のさらなる具体的な実施形態に従う複合型照明兼ラウドスピーカードライバー装置を示す図である。
【図１４】本発明のさらなる具体的な実施形態に従う複合型照明兼ラウドスピーカードライバー装置を示す図である。
【図１５】本発明のさらなる具体的な実施形態に従う複合型照明兼ラウドスピーカードライバー装置を示す図である。
【図１６】本発明のさらなる具体的な実施形態に従う複合型照明兼ラウドスピーカードライバー装置を示す図である。
【図１７】本発明のさらなる具体的な実施形態に従う複合型照明兼ラウドスピーカードライバー装置を示す図である。
【図１８】本発明のさらなる具体的な実施形態に従う複合型照明兼ラウドスピーカードライバー装置を示す図である。
【図１９】本発明のさらなる具体的な実施形態に従う複合型照明兼ラウドスピーカードライバー装置を示す図である。
【図２０】本発明のさらなる具体的な実施形態に従う複合型照明兼ラウドスピーカードライバー装置を示す図である。
【図２１】本発明のさらなる具体的な実施形態に従う複合型照明兼ラウドスピーカードライバー装置を示す図である。
【図２２】本発明のさらなる具体的な実施形態に従う複合型照明兼ラウドスピーカードライバー装置を示す図である。
【図２３】本発明のさらなる具体的な実施形態に従う複合型照明兼ラウドスピーカードライバー装置を示す図である。
【図２４】本発明のさらなる具体的な実施形態に従う複合型照明兼ラウドスピーカードライバー装置を示す図である。
【図２５ａ】本発明のさらなる代替的な実施形態に従う複合型照明兼ラウドスピーカードライバー装置を示す図である。
【図２５ｂ】本発明のさらなる代替的な実施形態に従う複合型照明兼ラウドスピーカードライバー装置を示す図である。
【図２５ｃ】本発明のさらなる代替的な実施形態に従う複合型照明兼ラウドスピーカードライバー装置を示す図である。
【図２５ｄ】本発明のさらなる代替的な実施形態に従う複合型照明兼ラウドスピーカードライバー装置を示す図である。
【図２５ｅ】本発明のさらなる代替的な実施形態に従う複合型照明兼ラウドスピーカードライバー装置を示す図である。
【図２５ｆ】本発明のさらなる代替的な実施形態に従う複合型照明兼ラウドスピーカードライバー装置を示す図である。
【図２５ｇ】本発明のさらなる代替的な実施形態に従う複合型照明兼ラウドスピーカードライバー装置を示す図である。
【図２６】本発明の別の実施形態に従う複合型照明兼ラウドスピーカードライバー装置を示す図である。
【図２７】本発明のまたさらなる実施形態に従う複合型照明兼ラウドスピーカードライバー装置を示す図である。
【図２８ａ】本発明のさらなる代替的な実施形態に従う複合型照明兼ラウドスピーカードライバー装置を概略的な形態で示す図である。
【図２８ｂ】本発明のさらなる代替的な実施形態に従う複合型照明兼ラウドスピーカードライバー装置を概略的な形態で示す図である。
【発明を実施するための形態】
【００４８】
好ましい実施形態の詳細な説明
図１は、複合型照明兼ラウドスピーカードライバー装置１０を示す。装置１０は、ラウドスピーカードライバー２０と、ヒートシンク４０と、電子部品２５と、光源１１０とを熱除去要素１２０上に支持する筐体１５を含む。使用の際、筐体１５は、天井（図示せず）中のアパーチャー内に装置１０を装着するように用いられる。
【００４９】
ラウドスピーカードライバー２０は、装置１０の中央長手方向軸の周りに形成される開口を有する振動板１３０を含み、中央長手方向軸は、装置１０の前方方向および後方方向を規定する。振動板１３０は、音を発生するように軸方向に移動する。振動板１３０は、振動板１３０を支持するように働く筐体１５の円錐台状バスケット１０５の径方向内側に装着され、かつその外周でバスケット１０５に接続される。振動板は、ロールサラウンド１４０を用いて筐体１５の側壁１５ａに付けられる。
【００５０】
ラウドスピーカー振動板の後方に（すなわち、図示されない天井中の空洞のさらに中に）、ラウドスピーカードライバー２０の駆動ユニットが位置する。駆動ユニットは、円錐台状バスケット１０５上に装着されるリング形状の磁石１５０と、振動板１３０に取付けられかつリング形状の磁石１５０の中心内に位置決めされるボイスコイル１６０とを備える。理解されるように、磁石１５０に供給される電気信号は、ボイスコイル１６０に振動板１３０を移動させかつ音を発生させる。
【００５１】
ラウドスピーカードライバー２０は、バスケット１０５に振動板１３０の中央を取付けるスパイダー１７０も含む。ロールサラウンド１４０とスパイダー１７０とはともに、駆動ユニットによって駆動されると振動板１３０が軸方向に移動するのを許すが、振動板１３０およびしたがってボイスコイル１６０を中心決めされたまま保つ。
【００５２】
複合型照明兼ラウドスピーカードライバー装置１０の熱除去要素１２０は、振動板１３０の径方向内側にかつ複合型照明兼ラウドスピーカードライバー装置１０の中央長手方向軸と同軸に位置決めされる。熱除去要素１２０は、振動板１３０の中心を通って延在する第１の比較的高アスペクト比の柱部分１２０ａを有する。熱除去要素の柱部分１２０ａは、ヒートシンク４０に熱的に接続される。熱除去柱１２０ａは、天井（図示せず）中のアパーチャー中に位置するヒートシンク４０へ、複合型照明兼ラウドスピーカードライバー装置１０から遠ざかるように熱を伝達するように働く。長手方向軸に沿って筐体１５の軸方向中央部に延在する熱除去柱１２０ａを設けることが有利である。というのも、本発明は、ラウドスピーカー振動板１３０の裏の空間を内包する装置を提供するからである。より具体的には、空間は、ヒートシンク４０の軸方向中央部のすぐ隣の筐体１５の後方部分、すなわち、ラウドスピーカー振動板１３０の後方と筐体１５ａの側壁との間に位置する。空間は、振動板１３０の裏で空気が自由に流れられるようにし、これは向上した音質をもたらす。
【００５３】
ヒートシンク４０は、天井のアパーチャーとは反対向きの第２の側に天井（図示せず）中のアパーチャーの背後に装着される。ヒートシンク４０は、装置１０から受ける熱を熱除去柱１２０ａを介して天井中のアパーチャーの中に伝達するように働く。ヒートシンク４０および筐体１５を単一のユニットとして形成してもよい。これに代えて、ヒートシンク４０を別個に形成して、たとえばはんだ付けまたは溶接によって筐体１５の後方部分の上に装着してもよい。
【００５４】
熱除去柱１２０ａの端の上に光源１１０が装着される。装置の中央に光源（たとえば、ＬＥＤまたはＬＥＤのアレイ）を設けることによって、機能的作業用照明具に用いることができるより集束した光源が設けられる。作業用照明具のために用いられる光源はかなりの熱を生成するが、これは有利には、ヒートシンク４０によって除去される。光源１１０は単一のＬＥＤであってもよい。これに代えて、単一のＬＥＤユニットの形態としてともに近接した１対のＬＥＤまたは３個のＬＥＤを用いてもよい。好ましくは、スポット集束レンズ１８０が光源を覆うように熱除去柱上に装着される。異なる光効果を与えるようにレンズ１８０を変更することができる。光源１１０は、熱伝導性照明取付部品上に装着される。光源１１０およびその照明取付部品は、装置１０の中央長手方向軸上に装着される。光源１１０は、装置１０からの熱の効率的な除去のために光源１１０とヒートシンク４０との間の熱的接続を設ける熱パイプ３１０に熱的に接続される。熱パイプは、光源１１０の照明取付部品も支持し得る。
【００５５】
筐体１５の側壁１５ａは熱除去柱１２０ａに収束せず、これによりカップの形態の筐体１５を設ける。これは有利である。というのも、ラウドスピーカー振動板３０の後方と筐体１５との間に形成される空間の容積が最大化され、これによって、装置１０が発生する音の品質が向上するからである。
【００５６】
図２は、本発明のさらなる実施形態に従う複合型照明兼ラウドスピーカードライバー装置１０の詳細図を示す。図２の配置は図１と同様である。しかしながら、図２では、複合型照明兼ラウドスピーカードライバー装置１０はツイーターを含む。
【００５７】
ツイーターはドームツイーターであり、熱除去柱１２０ａ上にツイーターを装着するのにも用いられる筐体によって支持される。ツイーターは、比較的高い周波数の音を発生させるように軸方向に移動するドーム２５０の形態のツイーターメンブレンを含む。ツイーターメンブレン２５０の後方および径方向内側にツイーターの駆動ユニットが位置する。
【００５８】
駆動ユニットは、筐体によって支持されかつ熱除去柱１２０ａ上に装着されるツイーターリング形状磁石２６０を含む。駆動ユニットは、ツイーターメンブレン２５０に取付け
られかつツイーターメンブレン２５０とツイーターリング形状磁石２６０の外周との間に位置決めされるツイーターボイスコイルも含む。理解されるように、磁石２６０に供給される電気信号は、ボイスコイルにツイーターメンブレン２５０を移動させかつ音を発生させる。
【００５９】
図３は、複合型照明兼ラウドスピーカードライバー装置１０の詳細図を示す。図３の配置は図２と同様である。しかしながら、図３では、ツイーターはリングラジエーターツイーターである。
【００６０】
ツイーターはリングラジエーターツイーターであり、したがってリング形状である。熱除去柱１２０ａの遠端上にツイーターを装着するのにも用いられる筐体がツイーターを支持する。より具体的には、ツイーターは、熱除去柱１２０ａの遠端の中に引っ込んでいる。光源１１０および光源１１０を覆うレンズ１８０も熱除去柱１２０ａの遠端上に装着され、かつその中に引っ込んでいる。光源１１０および光源を覆うレンズ１８０は、リング形状のツイーターの中心内に位置決めされる。
【００６１】
ツイーターは、高周波音を発生させるように軸方向に移動する二重環メンブレン２７５を備える。メンブレン２７５の外側環は、熱除去柱１２０ａの遠端の外周に取付けられ、メンブレン２７５の内側環は光源１１０およびレンズ１８０を取囲む筐体に取付けられる。メンブレン２７５の後方にツイーターの駆動ユニットが位置する。
【００６２】
駆動ユニットは、筐体によって支持されかつ熱除去柱１２０ａの遠端上に装着されかつその中に引っ込んだツイーターリング形状磁石２６０を含む。駆動ユニットは、内側環と外側環との間のツイーターメンブレン２７５に取付けられ、かつメンブレン２７５とツイーターリング形状磁石２６０の外周との間に位置決めされるツイーターボイスコイルも含む。理解されるように、磁石２６０に供給される電気信号は、ボイスコイルにメンブレン２７５を移動させかつ音を発生させる。
【００６３】
図４は、複合型照明兼ラウドスピーカー装置中の構成要素によって生成される熱がどのように装置を通って流れるかを示す。熱は、光源１１０、ツイーター磁石２６０、ラウドスピーカー磁石１５０、および電子部品２５によって生成され得る。熱は次に、熱パイプ３１０を通ってヒートシンク４０へと伝達される。
【００６４】
図５ａは、本発明を具現化する複合型照明兼ラウドスピーカードライバー装置１０の概略図を示す。複合型照明兼ラウドスピーカードライバー装置１０は、装置１０が天井３０とほぼ同一平面上にあるように天井３０中に形成されるアパーチャー内に位置決めされるラウドスピーカードライバー２０を備える。ラウドスピーカードライバー２０は、固定具３４を介して天井３０にしっかりと装着される。天井３０に振動が伝わるのを防止するように固定具３４を制振することができる。火災の障壁として働くように、固定具３４を発泡性材料から作製することもできる。
【００６５】
ラウドスピーカードライバー２０は、図５ａでは見えない光源とラウドスピーカーとを含む。天井３０の裏の空洞の中のラウドスピーカードライバー２０上には、装置からの熱の除去のためのヒートシンク４０が装着される。オプションで、ラウドスピーカードライバーの前面の前にスピーカーグリル４５が装着される。
【００６６】
コントロールボックス５０は、ラウドスピーカードライバー２０に電気的に接続され、装置１０を制御するのに用いられる電子部品を備える。コントロールボックス５０は、好ましくは、電源によって電力供給され、天井３０の裏の空洞の中に載置され、配線を介してラウドスピーカードライバー２０に接続される。コントロールボックス５０をラウドス
ピーカードライバー２０から外すと、点検修理のためのより容易な配置が提供される。これに代えて、コントロールボックス５０をラウドスピーカードライバー２０またはヒートシンク４０の上に直接に装着してもよい。
【００６７】
天井３０がその一部である部屋に面する側の天井３０の上に、アパーチャーに隣接して第１および第２のトランシーバー６０，７０が装着される。各々のトランシーバー６０，７０は、口頭の指令を拾う１つ以上のマイクを含む。これらの指令は、各々のトランシーバー６０，７０からコントロールボックス５０に与えられる。各々のトランシーバー６０，７０は、ケーブルハーネスを介してコントロールボックス５０に接続される。もっとも、当然ながら、それらを無線でコントロールボックス５０に接続することができる。コントロールボックス５０は、複合型照明兼ラウドスピーカードライバー装置を制御するように組合せて用いられるプロセッサーと増幅器とを含む。コントロールボックス５０が受信する指令は、コントロールボックスのプロセッサーを用いてデジタル化されかつ処理されて増幅器に指示を与えて複合型照明兼ラウドスピーカードライバー装置１０を制御する。これにより、たとえば、ユーザーは、装置の光源にオンするように指示したり、装置にある曲を再生するよう指示したりできるようになる。各々のトランシーバーは、無線送信器／受信器（たとえばＷｉｆｉ（登録商標）またはブルートゥース（登録商標）送信器／受信器）も含む。この目的は、たとえば、スマートフォンまたはタブレットを介してユーザーが遠隔に装置を制御できるようにすることである。
【００６８】
スイッチ８０がコントロールボックス５０に電気的に接続され、ラウドスピーカードライバー２０をオン／オフするのにこれを用いることができる。スイッチ８０はスイッチ盤を備える。スイッチ盤はｗｉｆｉ（登録商標）送信器／受信器を備えるので、ｗｉｆｉ（登録商標）接続される。このｗｉｆｉ（登録商標）送信器／受信器は、スイッチ盤の外側にあることができるかまたはスイッチ盤の裏に直線状に並んでいるかであることができる。さらに、ｗｉｆｉ（登録商標）送信器／受信器は、最も好都合にはスイッチ８０の上もしくは中に位置決めされるかまたは位置するのであるが、どこかに位置することができる−たとえば、天井の空間内に別個のユニットとして、コントロールボックス５０の一部として形成されるなどである。スイッチ８０は、ラウドスピーカードライバー２０に影響を及ぼすことなくユーザーが光源１１０をオン／オフすること、およびその逆もできるようにする。これを以下により詳細に説明する。ｗｉｆｉ（登録商標）送信器／受信器は、ユーザーが音楽を装置１０に無線でストリーム配信できるようにもする。複合型照明兼ラウドスピーカードライバー装置１０のコントロールボックス５０、光源１１０、およびラウドスピーカードライバー２０には連続して電力供給されるので、ほぼ任意の有線電力線プロトコル（ＰＬＣ、Ｘ１０など）および／または無線プロトコル（ＢＬＥ、ブルートゥース（登録商標）ＥＤＲ、Ｗｉｆｉ（登録商標）、ＺｉｇＢｅｅ、Ｚ−Ｗａｖｅ、６ＬｏｗＰａｎなど）を用いてスイッチ８０を複合型照明兼ラウドスピーカードライバー装置１０に接続することができる。
【００６９】
図５ｂは、図５ａの３つの複合型照明兼ラウドスピーカードライバー装置１０ａ，１０ｂ，１０ｃとｗｉｆｉ（登録商標）送信器／受信器を備える電球（スマートバルブ８５）とを備えるシステムを示す。装置１０ａ，１０ｂ，１０ｃのコントロールボックス５０ａ，５０ｂ，５０ｃの各々およびスマートバルブ８５は、同じ回路を介してスイッチ８０に電子的に接続される。スイッチ８０は図５ａと同様である。これにより、装置１０ａ，１０ｂ，１０ｃのラウドスピーカードライバー２０ａ，２０ｂ，２０ｃに影響を及ぼすことなく、各々の装置１０ａ，１０ｂ，１０ｃの光源１１０およびスマートバルブ８５をスイッチ８０によってスイッチオン／オフできるようになる。各々の装置１０ａ，１０ｂ，１０ｃの光源１１０およびスマートバルブ８５に供給される電力を停止させないようにスイッチ８０を再配線することもできる。無線送信器／受信器は、切換状態をデジタルに検知して複合型照明兼ラウドスピーカードライバー装置１０ａ，１０ｂ，１０ｃのラウドスピ
ーカードライバー２０ａ，２０ｂ，２０ｃを制御するように構成可能である。このように、切換機能は物理的回路から論理的回路に変換される。
【００７０】
図６は、複合型照明兼ラウドスピーカードライバー装置１０のより詳細な図を示す。装置１０は、図６では、ラウドスピーカードライバー２０、ヒートシンク４０、および光源１１０を熱除去要素１２０上に支持する円錐台状バスケット１０５の形態の筐体９０を含む。使用の際、筐体９０は天井３０中のアパーチャー内に装置１０を装着するように用いられる。
【００７１】
ラウドスピーカードライバー２０は、音を発生するように軸方向に移動する振動板１３０を含む。振動板１３０は、振動板１３０を支持するように働く筐体９０のバスケット１０５の径方向内側に装着され、かつその外周でロールサラウンド１４０を用いて、天井の空間に付けられるバスケット１０５に接続される。
【００７２】
ラウドスピーカー振動板の後方には（すなわち、天井３０中の空洞のさらに中には）、ラウドスピーカードライバー２０の駆動ユニットが位置する。駆動ユニットは、筐体９０上に装着されるリング形状の磁石１５０と、振動板１３０に取付けられかつリング形状の磁石１５０の中心内に位置決めされるボイスコイル１６０とを備える。理解されるように、磁石１５０に供給される電気信号は、ボイスコイル１６０に振動板１３０を移動させかつ音を発生させる。
【００７３】
ラウドスピーカードライバー２０は、振動板フラム１００の中心をバスケット１０５に取付けるスパイダー１７０も含む。ロールサラウンド１４０とスパイダー１７０とはともに、駆動ユニットによって駆動されると軸方向に振動板１３０が移動するのを許すが、振動板１３０およびしたがってボイスコイル１６０が中心決めされたままになるようにする。
【００７４】
複合型照明兼ラウドスピーカードライバー装置１０の熱除去要素１２０は、振動板１３０の径方向内側にかつ複合型照明兼ラウドスピーカードライバー装置１０の中心軸と同軸に位置決めされる。熱除去要素１２０は、振動板１３０の中心を通って延在する第１の比較的高アスペクト比の柱部分１２０ａと、柱部分１２０ａの後方の第２の比較的低アスペクト比の基部１２０ｂとを有する。熱除去要素の基部１２０ｂは、天井のアパーチャーの方を向いた第１の側上に駆動ユニットのリング形状の磁石１５０を装着および支持し、天井のアパーチャーとは反対向きの第２の側上にヒートシンク４０を支持しかつこれに熱的に接続される。熱除去要素１２０は、複合型照明兼ラウドスピーカードライバー装置１０から熱を除去するように働く。
【００７５】
基部１２０ｂから遠位の熱除去要素１２０の柱部分１２０ａの端の上に光源１１０が装着される。図６の実施形態では、光源１１０はオプションで１対のＬＥＤであり、好ましくは光源を覆うようにスポット集束レンズ１８０が熱除去柱上に装着される。異なる光効果を与えるようにレンズ１８０を変更することができる。
【００７６】
熱除去柱１２０ａは好ましくは、振動板１３０が移動する際に光源１６０の移動を少なくする／最小限にするように振動板１３０から機械的に結合解除される。
【００７７】
複合型照明兼ラウドスピーカードライバー装置１０には、第１および第２のトランシーバー６０および７０も設けられる。各々は、図６に示されるように天井３０の上に、装着された際には装置１０に隣接して装着される。トランシーバーは、天井３０がその一部である部屋の中に向けられる。各々のトランシーバー６０，７０は、口頭の指令を拾う１つ以上のマイクを含む。これらの指令は、コントロールボックス５０（図５）によって受信
され、次にコントロールボックス５０中のプロセッサーが、受信した口頭の指令をデジタル化しかつ処理／認識する。この処理の結果は、複合型照明兼ラウドスピーカードライバー装置に対する指示の生成である。このような指示は、たとえば、ユーザーからの装置１０の光源１１０のオンもしくはオフの指示、またはある曲を再生するようにとの装置１０への指示であり得る。各々のトランシーバー６０，７０は、ｗｉｆｉ（登録商標）および／またはブルートゥース（登録商標）送信器／受信器も含む。この目的は、ユーザーがたとえばスマートフォンまたはタブレットを介して遠隔に装置１０を制御して音楽を無線で装置１０にストリーム配信などできるようにすることである。
【００７８】
図７は、本発明の別の具体的な実施形態に従う複合型照明兼ラウドスピーカードライバー装置１０の詳細図を示す。図７の配置は本質的に図６と同様であり、そのため、繰返しを避けるために詳細には説明しない。
【００７９】
図６の配置と図７との相違点は、図７では、複合型照明兼ラウドスピーカードライバー装置１０が、オプションで、レンズよりもむしろ、熱除去柱１２０ａの遠端（すなわち、ヒートシンク４０から遠位の熱除去柱の端）上に装着される防眩覆い１９０を備えることである。防眩覆い１９０は、装置の発光の効率を向上させるように働く。防眩覆い１９０は、振動板１３０の移動を妨げることはなく、そのため複合型照明兼ラウドスピーカードライバー装置１０の音の送出に干渉しない。
【００８０】
図８は、本発明のさらなる実施形態に従う複合型照明兼ラウドスピーカードライバー装置１０の詳細図を示す。図８の配置は図６と同様に類似しており、そのため、ここでも詳細には説明しない。図６の配置と図８との間の相違点は、図８では、光源１１０がオプションで白熱電球であることである。白熱電球は、ヒートシンク４０から遠位の熱除去柱１２０ａの端の中に引っ込んでおり、光が装置１０から遠ざかるように向けられるように位置決めされる。白熱電球は、振動板１３０の移動に干渉しないように熱除去柱１２０ａの中に引っ込んでいる。このように、白熱電球は、複合型照明兼ラウドスピーカードライバー装置１０の音の送出に干渉しない。
【００８１】
複合型照明兼ラウドスピーカードライバー装置１０は、オプションで、トランシーバー６０とトランシーバー７０との間のラウドスピーカードライバー２０の前面の前に装着されるスピーカーグリル４５も備える。スピーカーグリル４５は音拡散性であり、白熱電球がそれを通って延在するアパーチャーを備える。したがって、白熱電球からの発光は、スピーカーグリル４５によって影響されない。
【００８２】
図９は、本発明のさらなる実施形態に従う複合型照明兼ラウドスピーカードライバー装置１０の詳細図を示す。ここでも、図９の配置は図６と同様である。図６の配置と図９との間の相違点は、図９では、装置１０が光源１１０の上にレンズを備えておらず、光源１１０がリモートフォスファー要素であることである。
【００８３】
リモートフォスファー要素は、燐光材料の被覆もしくは含浸によって透明であるまたは燐光材料から形成されるカバー部材２００で覆われる青色または紫外線（ＵＶ）ＬＥＤ１９５を備える。青色またはＵＶ  ＬＥＤ１９５からの光は、燐光材料が拡散白色光を発するようにカバー部材２００の燐光材料を励起する。青色またはＵＶ  ＬＥＤ１９５およびカバー部材２００の両者は、青色またはＵＶ  ＬＥＤ１９５がカバー部材２００の方を向くように熱除去柱１２０ａの遠端（すなわち、ヒートシンク４０から遠位の熱除去柱の端）上に装着される。カバー部材２００は好ましくはドーム形状である。
【００８４】
図１０は、本発明のさらなる実施形態に従う複合型照明兼ラウドスピーカードライバー装置１０の詳細図を示す。図１０の配置はここでも図６と同様である。しかしながら、図
１０では、熱除去柱１２０ａは図６の配置よりもアスペクト比がより低いので、ヒートシンク４０から遠位の柱１２０ａの端は、振動板中の中央アパーチャー内に位置決めされる。
【００８５】
図１０では、複合型照明兼ラウドスピーカードライバー装置１０は、振動板１３０に取付けられかつ振動板１３０の中央アパーチャーを覆うように光源１１０およびレンズ１８０の前に位置決めされる埃除けキャップ２１０も備える。埃除けキャップ２１０は、振動板１３０とともに自由に移動することができ、埃が振動板１３０の後方と前方との間を通り抜けるのを防止する。埃除けキャップが複合型照明兼ラウドスピーカードライバー装置の発光に干渉するのを防止するために、埃除けキャップは半透明または透明の材料からなる。
【００８６】
図１１は、本発明のさらなる実施形態に従う複合型照明兼ラウドスピーカードライバー装置１０の詳細図を示す。図１１の配置はまたここでも図６と同様である。しかしながら、図１１では、図６とは対照的に、熱除去柱１２０ａの遠端に装着される光源１１０は、熱除去要素１２０の基部１２０ｂに対して可動である。特に、光源は、発せられる光の方向を調整できるように熱除去柱１２０ａの遠端付近で回動するように装着されるかまたはジンバルで支持される。単純な実施形態では、装置１０の残余に対して光源を操作することによって、光源１１０を手動で調整してもよい。
【００８７】
より複雑な配置は、たとえば、トランシーバー６０，７０中のマイクが拾うユーザーからの口頭の指令に応答して、または（この場合はトランシーバー６０，７０中のＷｉＦｉ（登録商標）受信器によってここでも拾われ得る）ユーザーが操作する装置からのＷｉＦｉ（登録商標）信号を介して、または部屋の壁の上の修正された光スイッチなどを介して、コントロールボックス５０によって制御可能なリニアモータまたは他の駆動モータを含んでもよい。
【００８８】
図１２は、本発明のさらなる実施形態に従う複合型照明兼ラウドスピーカードライバー装置１０の詳細図を示す。図１２の配置は、図１２では複合型照明兼ラウドスピーカードライバー装置１０がラウドスピーカードライバー２０の前面の前に装着されるスピーカーグリル４５を備えることを除いて、図６と同様である。
【００８９】
スピーカーグリル４５は音拡散性であり、光源１１０と同軸の中央アパーチャーを備える。中央アパーチャーの中に二次レンズ２２０が装着される。二次レンズ２２０はスピーカーグリル４５によって支持され、複合型照明兼ラウドスピーカードライバー装置１０から発せられる光の品質を変えるように働く。
【００９０】
図１２でも、図１０と同様に、熱除去柱１２０ａのアスペクト比はより低く、埃除けキャップ２１０が振動板１３０に取付けられ、かつ振動板１３０の中央アパーチャーを覆うように光源１１０およびレンズ１８０の前に位置決めされる。ここでも、埃除けキャップ２１０は、埃が振動板１３０の後方と前方との間を通り抜けるのを防止する。埃除けキャップ２１０は、複合型照明兼ラウドスピーカードライバー装置１０の発光に影響しないように透明かまたは半透明である。埃除けキャップ２１０は、複合型照明兼ラウドスピーカードライバー装置１０の音の送出に影響しないように、振動板１３０とともに自由に移動することができる。
【００９１】
図１３は、本発明のさらなる実施形態に従う複合型照明兼ラウドスピーカードライバー装置１０の詳細図を示す。図１３の配置は、またここでも図６と同様である。しかしながら、図１３では、複合型照明兼ラウドスピーカードライバー装置１０はツイーター２３０を含む。
【００９２】
ツイーター２３０は、高周波音を発生するのに用いられる。ツイーターは、ツイーターと光源との両者がヒートシンクから遠位の熱除去柱の端上に装着されかつ装置１０がその一部である部屋の中に面するように、光源１１０と一体化される。柱１２０ａは、それが目立たないままであることが確実になるように、アスペクト比がより低い。
【００９３】
ツイーター２３０は、オプションでドームツイーターであり、熱除去柱１２０ａ上にツイーター２３０を装着するのにも用いられる筐体２４０によって支持される。ツイーター２３０は、比較的高周波の音を発生するように軸方向に移動するドーム２５０の形態のツイーターメンブレンを含む。ツイーターメンブレン２５０の後方にかつ径方向内側にツイーター２３０の駆動ユニットが位置する。
【００９４】
駆動ユニットは、筐体２４０によって支持されかつ熱除去柱１２０ａ上に装着されるツイーターリング形状磁石２６０を含む。駆動ユニットは、ツイーターメンブレン２５０に装着されかつツイーターメンブレン２５０とツイーターリング形状磁石２６０の外周との間に位置決めされるツイーターボイスコイル２７０も含む。理解されるように、磁石２６０に供給される電気信号は、ボイスコイル２７０にツイーターメンブレン２５０を移動させかつ音を発生させる。
【００９５】
好ましくは２つのＬＥＤ１９５ａ，１９５ｂである光源１１０と光源を覆うレンズ１８０とは、リング形状磁石２６０上に装着されかつツイーターメンブレン２５０によって覆われる。ＬＥＤ１９５ａ，１９５ｂは、光が複合型照明兼ラウドスピーカードライバー装置１０から遠ざかるように向けられるように装着される。この好ましい実施形態では、各々のＬＥＤ１９５ａ，１９５ｂは、リング形状の磁石のアパーチャーのいずれかの側の上に装着される。
【００９６】
ツイーターメンブレン２５０は、複合型照明兼ラウドスピーカードライバー装置１０の発光に影響しないように透明または半透明である。磁石２６０は、ラウドスピーカーが使用中である場合は静止したままである。その結果、磁石２６０上への光源１１０の装着は、振動板１３０またはツイーターメンブレン２５０の移動に影響しない。中央への位置決めによっても、ツイーターと照明とが発光および音の送出の両方を最適化するように位置決めされることが確実になる。ツイーターメンブレン内に光源を設けることにより、装置は小型のままかつ目立たないままとなる。
【００９７】
図１４は、本発明のさらなる実施形態に従う複合型照明兼ラウドスピーカードライバー装置１０の詳細図を示す。図１４の配置は図１４と同様である。というのも、両者とも光源１１０と一体化されるツイーター２３０を備えるからである。
【００９８】
しかしながら、図１４では、光源１１０は別個のレンズ１８０で覆われていない。代わりに、光源はツイーターメンブレン２５０′で覆われる。図１４のツイーターメンブレン２５０′は２つの目的を有する。すなわち、ツイーターメンブレンは、発光系の一部を形成する働きと、ツイーターの一部としての働きとの両方を行なう。
【００９９】
特に、図１４のツイーターメンブレン２５０′は、それ自身、燐光材料の被覆もしくは含浸によって透明もしくは半透明であるか、または燐光材料から形成される。光源は、好ましくは２つの青色または紫外線（ＵＶ）ＬＥＤ１９５ａ，１９５ｂを含む。青色またはＵＶ  ＬＥＤ１９５ａ，１９５ｂからの光は、白色光が発せられるようにツイーターメンブレン２５０′の燐光材料を励起する。
【０１００】
ここでも、ツイーター２３０と光源１１０との両方を複合型照明兼ラウドスピーカード
ライバー装置１０の中央に設けることにより、発光および音の送出が改良され、装置は小型のままである。
【０１０１】
図１５は、本発明のさらなる実施形態に従う複合型照明兼ラウドスピーカードライバー装置１０の詳細図を示す。図１５の配置は図６と同様である。しかしながら、図１５では、複合型照明兼ラウドスピーカードライバー装置１０は付加的にツイーター２３０′を備える。
【０１０２】
ツイーター２３０′はリングラジエーターツイーターであり、したがってリング形状である。熱除去柱１２０ａの遠端上にツイーターを装着するのにも用いられる筐体２４０′がツイーター２３０′を支持する。より具体的には、ツイーター２３０′は、熱除去柱１２０ａの遠端の中に引っ込んでいる。光源１１０および光源１１０を覆うレンズ１８０も、熱除去柱１２０の遠端の上に装着されかつその中に引っ込んでいる。光源１１０および光源を覆うレンズ１８０は、リング形状のツイーター２３０′の中心内に位置決めされる。光源１１０はオプションで２つのＬＥＤ１９５ａ，１９５ｂを備える。
【０１０３】
ツイーター２３０′は、高周波音を発生するように軸方向に移動する二重環のメンブレン２７５を備える。メンブレン２７５の外側環は、熱除去柱１２０ａの遠端の外周に取付けられ、メンブレン２７５の内側環は、光源１１０およびレンズ１８０を囲む筐体２４０′に取付けられる。メンブレン２７５の後方には、ツイーター２３０′の駆動ユニットが位置する。
【０１０４】
駆動ユニットは、筐体２４０によって支持されかつ熱除去柱１２０ａの遠端上に装着されかつその中に引っ込んだツイーターリング形状磁石２６０を含む。駆動ユニットは、内側環と外側環との間のツイーターメンブレン２７５に取付けられかつメンブレン２７５とツイーターリング形状磁石２６０′の外周との間に位置決めされるツイーターボイスコイル２７０も含む。理解されるように、磁石２６０′に供給される電気信号は、ボイスコイル２７０にメンブレン２７５を移動させかつ音を発生させる。
【０１０５】
中央の光源１１０の周りに同心にツイーター２３０′を配置することにより、２つの特徴が互いに対してマイナスの影響を与えないことを確実にしながら、中央の光源と中央のツイーターとの両者が設けられる。光源を中央に位置決めすることによって熱除去柱１２０ａとの光源の熱的な接続が確実になり、このことが装置１０からの熱の効率的な除去に必要なのである。中央への位置決めによって、ツイーターと照明とが発光および音の送出を最大にするように位置決めされることも確実になる。ツイーター２３０′および光源１１０は、装置１０が目立たないままになるのを確実にするように、熱除去柱１２０ａの端の中に引っ込んでいる。
【０１０６】
図１６は、本発明のさらなる実施形態に従う複合型照明兼ラウドスピーカードライバー装置１０の詳細図を示す。ここでもまた、図１６の配置は図１６と同様である。しかしながら、対照的に、図１６では、装置１０はスピーカーグリル４５′をさらに含む。一体化された光源１１０とツイーター２３０とは、熱除去柱１２０ａの遠端の中に引っ込んでいる。
【０１０７】
スピーカーグリル４５′は、ラウドスピーカードライバー２０の前面の前に、トランシーバー６０とトランシーバー７０との間に装着される。スピーカーグリル４５′は、熱除去柱１２０ａと同軸のアパーチャーを有する。スピーカーグリル４５′のアパーチャーの周は、熱除去柱１２０ａの遠端の周に取付けられる。
【０１０８】
スピーカーグリル４５′は、この中央のアパーチャーの周りに同心に配置されかつ光源
１１０からの光を装置から遠ざかるように反射するように角度付けられる複数の反射面を含む。反射面は好ましくは形状が円錐台状であり、スピーカーグリル４５′の中央のアパーチャーの径方向外側方向に円錐の径が連続して増大していく。スピーカーグリル４５′は、光が振動板１３０′に当たるのを防止するのに必要である。光が振動板に当たると、装置１０が発する光の強度が変化したり／光がちらついたりしてしまうであろう。
【０１０９】
図１７は、本発明のさらなる実施形態に従う複合型照明兼ラウドスピーカードライバー装置１０の詳細図を示す。図１７の配置は図６と同様である。しかしながら、図６とは対照的に、光源１１０は、熱除去柱の長さに沿って装置１０の軸方向に延在するように（すなわち、熱除去柱１２０ａの近端と遠端との間に）装着される。光源がその上に装着される熱除去柱１２０ａの中央部分は、熱除去柱１２０ａの残余よりも径が比較的より狭く、これにより、熱除去柱１２０ａは、ほぼＴ字状である。
【０１１０】
光源１１０は好ましくはリモートフォスファー要素である。リモートフォスファー要素は、熱除去柱１２０ａの軸方向の範囲に沿って等距離に装着される複数の青色または紫外線（ＵＶ）ＬＥＤ１９５ａ−ｆを備える。熱除去柱１２０ａの中央部分の付近のＬＥＤ１９５ａ−ｆの上に径方向外向きに、燐光材料の被覆または含浸によって透明／半透明であるまたは燐光材料から形成されるほぼ管状のカバー部材２００′が装着される。青色またはＵＶ  ＬＥＤ１９５ａ−ｆからの光は、拡散白色光が発せられるようにカバー部材の燐光材料を励起する。
【０１１１】
熱除去要素の基部１２０ｂに隣接して、熱除去柱１２０ａの近端に、管形状のカバー部材２００′が取付けられる。Ｔ字状の熱除去柱１２０ａは、燐光材料によって生じるカバー部材２００′の黄色の外観を隠すように働く。
【０１１２】
図１７の装置１０は、熱除去柱１２０ａの遠端に装着されるツイーター２３０も備える。ツイーター２３０は高周波音を発生するように用いられ、オプションでドームツイーターである。熱除去柱１２０ａ上にツイーター２３０を装着するのにも用いられる筐体２４０がツイーター２３０を支持する。ツイーター２３０は、相対的に高周波の音を発生するように軸方向に移動するツイーターメンブレン２５０を含む。ツイーターメンブレン２５０の後方におよび径方向内側に、ツイーター２３０の駆動ユニットが位置する。
【０１１３】
駆動ユニットは、筐体２４０によって支持されかつ熱除去柱１２０ａ上に装着されるツイーターリング形状磁石２６０を含む。駆動ユニットは、ツイーターメンブレン２５０に取付けられかつツイーターメンブレン２５０とツイーターリング形状磁石２６０の外周との間に位置決めされるツイーターボイスコイル２７０も含む。理解されるように、磁石２６０に供給される電気信号は、ボイスコイル２７０にツイーターメンブレン２５０を移動させかつ音を発生させる。
【０１１４】
図１７の配置で、熱除去柱１２０ａの遠端上にツイーター２３０を装着するのにも用いられる筐体２４０はツイーター２３０を支持する。ツイーターは、熱除去柱１２０ａに加えて、ヒートシンク４０から遠位の管形状のカバー部材２００′の端にも取付けられる。ツイーター２３０は、ツイーターメンブレン２５０が、装置１０がその一部である部屋の方を向くように位置決めされる。これによって高周波音の送出が最大になる。
【０１１５】
図１８は、本発明のさらなる実施形態に従う複合型照明兼ラウドスピーカードライバー装置１０の詳細図を示す。図１８の配置は図６と同様である。しかしながら、図１８では、光源は燐光要素である。
【０１１６】
リモートフォスファー要素は、複数の青色または紫外線（ＵＶ）ＬＥＤ１９５ａ，１９
５ｂ，１９５ｃと、燐光材料の被覆または含浸によって透明／半透明であるまたは燐光材料から形成されるカバー部材２００′とを備える。青色またはＵＶ  ＬＥＤからの光は、燐光材料が拡散白色光を発するようにカバー部材２００内の燐光材料を励起する。青色またはＵＶ  ＬＥＤ１９５ａ，１９５ｂ，１９５ｃは、熱除去柱１２０ａの遠端上に装着される。カバー部材２００′は管形状であり、熱除去柱１２０ａと同軸に位置決めされる。管形状のカバー部材２００′は熱除去柱１２０ａの遠端に取付けられ、そこから軸方向に延在する。熱除去柱１２０ａは図６の熱除去柱よりもアスペクト比がより低い。これにより、装置１０が相対的に小型のままであるのを確実にしつつ、そのような光源を熱除去柱上に装着できるようになる。
【０１１７】
管形状のカバー部材２００′の遠端はツイーター２３０に取付けられ、かつこれを支持する。ツイーター２３０は、オプションで、図１７に関連して上述されたようにドームツイーターであり、高周波音を発生するように用いられる。ツイーター２３０は、ツイーターメンブレン２５０が部屋の中を向くように位置決めされる。この位置決めにより、ツイーター２３０からの音の送出が最適化される。
【０１１８】
図１８のドームツイーター２３０は、振動板１３０の中央に向けて後方に面する反射凸面２８０として、または反射凸面２８０の上に形成される。凸面２８０は、ＬＥＤ１９５ａ，１９５ｂ，１９５ｃからの光を管形状のカバー部材２００′の内部に向けて反射する。これにより、装置１０から部屋の中に発せられる光の量が最大になる。好ましい実施形態では、凸面２８０は、面２８０の頂点が振動板１３０の中央に向くように円錐形である。
【０１１９】
図１８の配置では、光源１１０およびツイーター２３０は相乗効果的に有利である。カバー部材２００′はツイーター２３０を支持してこれを装置１０の中央に位置決めし、そうして装置１０からの高周波音の送出を最適化するように働く。ツイーター２３０の凸面２８０は、装置１０から発せられる光の量を最大化するように働く。
【０１２０】
図１９は、本発明のさらなる実施形態に従う複合型照明兼ラウドスピーカードライバー装置１０の詳細図を示す。装置１０は、図１９では、ラウドスピーカードライバー２０とヒートシンク４０とを支持する円錐台状バスケット１０５の形態の筐体９０を含む。使用の際、筐体９０は、部屋の天井３０中のアパーチャー内に装置１０を装着するように用いられる。
【０１２１】
ラウドスピーカードライバー２０は、図６に関連して上述したのと同様の態様で振動板１３０、ロールサラウンド１４０、リング形状磁石１５０、ボイスコイル１６０、およびスパイダー１７０を含む。
【０１２２】
装置１０は、振動板１３０の中央を通って延在する比較的高アスペクト比の支持部分３００ａと第２の比較的低アスペクト比の基部３００ｂとを有する熱伝導性装着部材３００を備える。装着部材３００の基部３００ｂは天井のアパーチャーの方を向く第１の側上にラウドスピーカードライバー２０の駆動ユニットのリング形状磁石１５０を装着しかつ支持し、かつ天井のアパーチャーとは反対向きの第２の側上にヒートシンク４０を支持しかつこれに熱的に接続する。
【０１２３】
装置１０はツイーター２３０も備える。ツイーター２３０は、図１７を参照して上述したように、オプションでドームツイーターである。ヒートシンク４０に対して支持部分３００ａの遠端上にツイーター２３０を装着するのにも用いられる筐体２４０がツイーター２３０を支持する。ツイーター２３０は、装置１０が部屋の天井に装着されるとツイーターメンブレン２５０が部屋の中を向くように位置決めされる。これによって高周波音の送
出が最大になる。
【０１２４】
図１９の実施形態では、光源１１０は、熱伝導性照明取付部品３２０の上に装着されるＬＥＤである。ＬＥＤおよびその照明取付部品は、支持部分３００ａと同軸に、しかしそれから離間して、装置１０内の中心軸上に装着される。装置１０からの熱の効率的な除去のために、光源１１０と支持部分３００ａとの間の熱的接続も与える熱パイプ３１０が光源１１０の照明取付部品を支持する。より具体的には、熱パイプ３１０は、支持部分３００ａの遠端の周と照明取付部品３２０との間に取付けられる。
【０１２５】
熱パイプ３１０は、ツイーター２３０を支持部分３００ａのこの遠端の上にも装着できるように支持部分３００ａの遠端の周に取付けられる。ドームツイーター２３０は前述のとおりである。
【０１２６】
ツイーター２３０は、ツイーターから送出される音がＬＥＤを支持する照明取付部品３２０の後方に向けられるように、ＬＥＤおよび照明取付部品３２０の背後に同軸に装着される。この理由のため、光源１１０を支持する照明取付部品３２０の後方に面する表面−すなわち、光源の裏に装着される、ツイーターの方を向いた照明取付部品３２０の表面−が湾曲される。図１９に示される特定の実施形態では、照明取付部品の後面は、特に、光源１１０の付近でツイーター２３０からの音を偏向し、そうして装置１０の音の送出を最大化するように（径方向に対向する凹面を設けるように）湾曲した側を有する円錐形状である。
【０１２７】
複合型照明兼ラウドスピーカードライバー装置１０には、第１および第２のトランシーバー６０および７０も設けられる。図１９に示されるように、各々は、天井３０に設置されると装置１０に隣接して天井３０上に装着される。トランシーバー６０，７０は、それ以外は、図６に関連して上述されたとおりである。
【０１２８】
図２０は、本発明のさらなる実施形態に従う複合型照明兼ラウドスピーカードライバー装置１０の詳細図を示す。装置１０は、ラウドスピーカードライバー２０とヒートシンク４０とを支持する円錐台状バスケット１０５の形態の筐体９０を含む。使用の際、筐体９０は、天井３０中のアパーチャー内に装置１０を装着するように用いられる。
【０１２９】
ラウドスピーカードライバー２０は、各々が前述のとおりである振動板１３０、ロールサラウンド１４０、リング形状磁石１５０、ボイスコイル１６０、およびスパイダー１７０を含む。装置１０は、振動板１３０の中央を通って延在する比較的高アスペクト比の支持部分３００ａと、第２の比較的低アスペクト比の基部３００ｂとを有する熱伝導性装着部材３００を備える。装着部材３００の基部３００ｂは、天井のアパーチャーの方を向いた第１の側上にラウドスピーカードライバー２０の駆動ユニットのリング形状磁石１５０を装着しかつ支持し、かつ装置１０が天井３０に装着されると天井のアパーチャーとは反対向きの第２の側上にヒートシンク４０を支持しかつこれに熱的に接続する。
【０１３０】
装置１０は、前述のようなツイーター２３０も備える。支持部分３００ａの遠端上にツイーター２３０を装着するのにも用いられる筐体２４０がツイーター２３０を支持する。ツイーター２３０は、高周波音の送出を最適化するために、装置が天井３０に装着されるとツイーターメンブレン２５０が部屋の中を向くように位置決めされる。
【０１３１】
光源１１０は振動板１３０の裏に位置決めされ、好ましくは２つのＬＥＤ１９５ａ，１０５ｂとして形成される。各々のＬＥＤは、バスケット１０５の内側面から径方向内側に延在するアーム３４０ａ，３４０ｂ上に装着される。各々のアーム３４０ａ，３４０ｂは、それぞれのＬＥＤ１９５ａ，１９５ｂが生成する熱をバスケット１０５および装着部材
３００を介してヒートシンク４０に伝達できるように熱伝導性である。
【０１３２】
それぞれのＬＥＤ１９５ａ，１９５ｂが装着される各々のアーム３４０ａ，３４０ｂの端は、それぞれのＬＥＤ１９５ａ，１９５ｂからの光が振動板１３０を通って装置１０の外に向けられるように角度付けられる。最も好ましい実施形態では、各々のＬＥＤ１９５ａ，１９５ｂは青色または紫外線（ＵＶ）ＬＥＤであり、振動板１３０は、燐光材料の被覆もしくは含浸によって透明である、または燐光材料から形成される。この例示的な実施形態では、振動板は、発光系の一部を形成して、リモートフォスファー要素である拡散光源を生じる。これに代えて、振動板を蛍光材料で被覆／含浸／形成することができ、そのため、ここでも、振動板は発光系の一部を形成する。別の代替的な実施形態では、装置１０が部屋の天井または壁に装着されたときに光源１１０からの光が部屋の中に透過できるように、振動板は単に半透明／透明であることができる。
【０１３３】
図２０の複合型照明兼ラウドスピーカードライバー装置１０には、第１および第２のトランシーバー６０および７０も設けられる。各々は、装置が天井３０に装着されると装置１０に隣接して天井３０上に装着される。
【０１３４】
図２１は、本発明の２３番目の実施形態に従う複合型照明兼ラウドスピーカードライバー装置１０の詳細図を示す。ツイーター２３０が装着部材３００の支持部分３００ａの遠端上に装着される図２０の配置とは対照的に、代わりに、付加的な光源１９５ｃが装着部材３００の支持部分３００ａのその遠端上に装着される。
【０１３５】
図２１の振動板１３０には埃除けキャップ２１０が取付けられ、埃除けキャップ２１０は、振動板１３０の中央のアパーチャーを覆いかつ振動板の後方と前方との間を埃が通り抜けるのを防止するように光源１９５ｃの前に位置決めされる。最も好ましい実施形態では、光源１９５ｃは青色または紫外線（ＵＶ）ＬＥＤであり、埃除けキャップ２１は発光系の一部を形成する。埃除けキャップ２１０は燐光材料の被覆もしくは含浸によって透明／半透明である、または燐光材料から形成される。青色またはＵＶ  ＬＥＤからの光は、燐光材料が白色光を発するように埃除けキャップ２１０の燐光材料を励起する。埃除けキャップ２１０は振動板１３０とともに自由に移動することができ、そのため装置１０からの音の送出を妨げない。
【０１３６】
複合型照明兼ラウドスピーカードライバー装置１０は、オプションで、トランシーバー６０とトランシーバー７０との間にラウドスピーカードライバー２０の前面の前に装着されるスピーカーグリル４５も備える。スピーカーグリル４５は音拡散性であり、中央のアパーチャーを備える。したがって、白熱電球からの発光はスピーカーグリル４５によって影響されない。
【０１３７】
図２２は、本発明のさらなる実施形態に従う複合型照明兼ラウドスピーカードライバー装置１０の詳細図を示す。装置１０は、図２２では、ラウドスピーカードライバー２０とヒートシンク４０とを支持する円錐台状バスケット１０５の形態の筐体９０を含む。使用の際、筐体９０は天井中のアパーチャー内に装置１０を装着するのに用いられる。
【０１３８】
ラウドスピーカードライバー２０は、各々が前述のとおりの振動板１３０、ロールサラウンド１４０、リング形状磁石１５０、ボイスコイル１６０、およびスパイダー１７０を含む。
【０１３９】
装置１０は、振動板１３０の中央を通って延在する比較的高アスペクト比の支持部分３００ａと第２の比較的低アスペクト比の基部３００ｂとを有する熱伝導性装着部材３００を備える。装着部材の基部３００ｂは、天井のアパーチャーの方を向く第１の側上にラウ
ドスピーカードライバー２０の駆動ユニットのリング形状磁石１５０を装着しかつ支持し、天井のアパーチャーとは反対向きの第２の側上にヒートシンク４０を支持しかつこれに熱的に接続する。
【０１４０】
複合型照明兼ラウドスピーカードライバー装置１０には、第１および第２のトランシーバー６０および７０も設けられる。各々は、以上の図２０に示されるように、装置が天井３０に装着されると装置１０に隣接して天井３０上に装着される。
【０１４１】
装置１０は、ラウドスピーカードライバー２０の前面の前に、トランシーバー６０とトランシーバー７０との間に装着されるスピーカーグリル４５″′を備える。光源は、光源１１０からの光を複合型照明兼ラウドスピーカードライバー装置１０から遠ざかるように反射するように反射性であるスピーカーグリル４５″′上に装着される。
【０１４２】
最も好ましい実施形態では、図２２に示されるように、スピーカーグリル４５″′は、同心に配置されかつ形状が円錐台状である複数の反射面を備える。光源１１０は複数の照明具要素１９５ａ−ｆを備え、オプションで、各々の照明具要素はＬＥＤである。各々のＬＥＤ１９５ａ−ｆは反射面の各々の上に装着され、スピーカーグリル４５の反射面の別の１つに向けて光を放射する。スピーカーグリル４５″′は音拡散性であり、そのため装置１０の音の送出には影響しない。
【０１４３】
支持部分３００ａは、柱１２０ａの遠端が振動板１３０の中心内に位置決めされるようにアスペクト比が低い。したがって、埃除けキャップ２１０が振動板１３０に取付けられ、支持部分３００ａの遠端の前に位置決めされる。埃除けキャップ２１０は振動板１３０とともに自由に移動することができ、埃が振動板１３０の後方と前方との間を通り抜けるのを防止する。
【０１４４】
多数の実施形態を説明したが、これは例示のみの目的のためであり、発明がそのように限定されるものではないことが理解される。当業者の読み手はさまざまな修正例および代替例を企図する。たとえば、部屋の天井上に装置１０を装着する代わりに、装置１０を棚もしくは壁の上に装着することができ、または単に自立するように枠組みの上に支持することができる。
【０１４５】
さらに、図１３−図１６および図１７−図２０の実施形態に示されるように、熱除去柱１２０ａまたは支持部分３００ａ上に装置の中央にツイーター２３０を位置する代わりに、代わりにツイーター２３０を、径方向に軸を外して、すなわち装置１０の中心軸の径方向外側に、位置決めすることができる。径方向に軸を外してツイーターを位置決めすることにより、ツイーターが装置１０の発光を確実に邪魔しないようになる。ツイーター２３０は、たとえば、図２３に示されるように、スピーカーグリル４５上に位置することができる。これに代えて、ツイーター２３０は装置１０の外部に位置することができ、たとえば、図２４に示されるように、装置１０に隣接して天井３０の上または中にツイーターを装着することができる。ここでも図２４に示されるように、ユーザーがツイーターの位置および角度を調整可能である。
【０１４６】
図６−図２２の実施形態に示されるような振動板１３０はほぼ円錐形状である。しかしながら、異なる可聴周波数応答（ウーファー、サブウーファー、中域など）を提供するために、振動板の他の形状およびサイズが可能である。図６−図２２は、広範囲のほぼドーム形状の振動板を含む実施形態を示し、この中ではドーム状の振動板の半径は天井のアパーチャー以下である。図２５ｅおよび図２５ｆの実施形態では、振動板は、バスケットの後方に向けて装着され、そのため振動板の全体が天井の中のアパーチャーの背後の空洞内にある。これに代えて、振動板は、振動板が天井のアパーチャーとほぼ同一平面上にある
ようにバスケット１０５の中でさらに前方に装着されてもよい。別の代替例では、ドーム形状の振動板は、装置が天井の中のアパーチャーの中に付けられると振動板が部屋の中に張り出すように、バスケットの中でまたさらに前方に装着される。
【０１４７】
図２５ｅおよび図２５ｆに示される円錐形状に加えて、他の形状を用いることができる。たとえば、振動板はより浅いドーム形状を有してもよく、またはこれに代えて図２５ｃおよび図２５ｄに示されるような逆円錐であってもよく、または図２５ｇに示されるように、凸状の前面（すなわち、装置１０が部屋の天井または壁内に装着されると部屋の中を向く面）を有するドーム形状であってもよい。図２５ａ、図２５ｄ、および図２５ｆに示されるように、振動板の径方向内側にロールサラウンドを邪魔にならないように装着することもできる。
【０１４８】
またさらに、光源１１０の外観またはツイーター２３０からの高周波数の拡散を変えるように、図５−図１８の熱除去柱１２０ａおよび／または図１９−図２２の支持部分３００ａのアスペクト比を変更することができる。熱除去柱の長さは異なってもよく、これにより、光源は、ラウドスピーカー振動板に対して装置の中心軸に沿ってさらに前方または後方にある。
【０１４９】
図１９の実施形態は装着部材３００と光源１１０との間に延在する熱パイプ３１０を示すが、熱パイプは代わりに、光源１１０から直接にヒートシンク４０に延在することができる。たとえば、熱パイプ３１０は、光源１１０からヒートシンク４０に、支持部分３００ａの側に沿ってまたは支持部分３００ａ中の中央のボアを通って延在することができる。これらの場合、装着部材３００は熱伝導性である必要はない。
【０１５０】
さまざまな光源を用いてもよく、発明は、図に示される特定的な照明の種類に限定されるものではない。たとえば、ＬＥＤの代わりに、ＭＲ電球（たとえば、周知のＧＵ１０取付部品を有するもの）、白熱電球、さまざまな色のＬＥＤなどを容易に用いることができる。
【０１５１】
リモートフォスファー要素である光源を備える実施形態の各々で、燐光体で被覆／形成／含浸されるカバー部材２００，２００′またはツイーターメンブレン２５０′（図９、図１４、図１６、図１７、図１８、図２０、図２１）には、光の透過を許しつつ燐光体の黄色の外観を隠す、外側面上の半透明の白色被覆を設けることができる。
【０１５２】
図２６で、異なる光効果を生じるように、レンズ１８０が相互に交換可能であってもよい。
【０１５３】
さらに、ツイーター２３０および光源１１０は、ユーザーが装置１０の光および音の出力をカスタマイズすることができるように、位置および方向を別々に調整可能であってもよい。
【０１５４】
図２７に示されるように、オプションで、スピーカーの後方に向けた容積を制御するように働く囲い５００で装置１０のラウドスピーカードライバー２０を囲うことができる。囲い３５０は、スピーカーの後方の容積の制御を最適化するために、ヒートシンク４０も囲んでもよい。しかしながら、天井３０中のアパーチャーの背後の空洞が低音の応答を向上させ得るように、囲い３５０を省略してもよい。
【０１５５】
ユーザーからの指令を拾いかつこれらを複合型照明兼ラウドスピーカードライバー装置１０のコントロールボックス５０に与えるようにさまざまな構成要素を構成することができる。構成要素は、たとえばバスケット１０５で囲うことができるケーブルハーネスを介
してコントロールボックス５０に接続される。図２８ａは、センサ３６０、アンテナ３７０、および１つ以上のマイク３８０を備える複合型照明兼ラウドスピーカードライバー装置１０の概略図を示す。図２８ｂは、図２８ａの装置の断面図を示す。この図から、装置１０が、２つのセンサ３６０ａ，３６０ｂと、２つのアンテナ３７０ａ，３７０ｂと、２つのマイク３８０ａ，３８０ｂとを備えることがわかる。発明は、これらの構成要素の各々の数によって限定されるものではない。センサ３６０ａ，３６０ｂ、アンテナ３７０ａ，３７０ｂ、およびマイク３８０ａ，３８０ｂは、装置１０が装着されるアパーチャーの周の周りに装着される。これらの構成要素は、部屋の中または天井の裏の空間の中に回路基板上に搭載される。センサ３６０ａ，３６０ｂは、たとえば、周囲光センサまたは運動／人感センサであってもよい。
【０１５６】
記載されるさまざまな実施形態の装置１０は、部分的には装置１０の音響部が無線で相互接続されるので、現行技術の天井内照明と同じ態様で設置されてもよい。専門技術者の必要なしに設置が可能になるので、これは極めて有利である。
【図１】
2020005297.tif 000003
【図２】
2020005297.tif 000004
【図３】
2020005297.tif 000005
【図４】
2020005297.tif 000006
【図５ａ】
2020005297.tif 000007
【図５ｂ】
2020005297.tif 000008
【図６】
2020005297.tif 000009
【図７】
2020005297.tif 000010
【図８】
2020005297.tif 000011
【図９】
2020005297.tif 000012
【図１０】
2020005297.tif 000013
【図１１】
2020005297.tif 000014
【図１２】
2020005297.tif 000015
【図１３】
2020005297.tif 000016
【図１４】
2020005297.tif 000017
【図１５】
2020005297.tif 000018
【図１６】
2020005297.tif 000019
【図１７】
2020005297.tif 000020
【図１８】
2020005297.tif 000021
【図１９】
2020005297.tif 000022
【図２０】
2020005297.tif 000023
【図２１】
2020005297.tif 000024
【図２２】
2020005297.tif 000025
【図２３】
2020005297.tif 000026
【図２４】
2020005297.tif 000027
【図２５ａ】
2020005297.tif 000028
【図２５ｂ】
2020005297.tif 000029
【図２５ｃ】
2020005297.tif 000030
【図２５ｄ】
2020005297.tif 000031
【図２５ｅ】
2020005297.tif 000032
【図２５ｆ】
2020005297.tif 000033
【図２５ｇ】
2020005297.tif 000034
【図２６】
2020005297.tif 000035
【図２７】
2020005297.tif 000036
【図２８ａ】
2020005297.tif 000037
【図２８ｂ】
2020005297.tif 000038
【手続補正書】
【提出日】令和1年9月19日(2019.9.19)
【手続補正１】
【補正対象書類名】特許請求の範囲
【補正対象項目名】全文
【補正方法】変更
【補正の内容】
【特許請求の範囲】
【請求項１】
複合型照明兼ラウドスピーカードライバー装置（１０）であって、
前記装置の中央長手方向軸の周りに形成される開口を有するラウドスピーカー振動板（１３０）を有するラウドスピーカードライバー（２０）を備え、前記中央長手方向軸は前記装置の前方方向および後方方向を規定し、さらに
前記ラウドスピーカードライバーを支持するための筐体（１５，９０）と、
前記中央長手方向軸に対して前記ラウドスピーカー振動板の前記開口の径方向内側に位置決めされかつ光を前方にかつ前記装置から遠ざかるように向けるように構成される光源（１１０）とを備え、
前記ラウドスピーカー振動板は可撓性のロールサラウンド（１４０）によって前記筐体に接続され、前記ロールサラウンドは凸状の後方面と凹状の前方面とを有する二重環として形作られる、装置。
【請求項２】
前記光源は、前記装置の前記ラウドスピーカー振動板から遠ざかるように光を向けるように構成され、および／または
前記光源は、前記ラウドスピーカー振動板の前記開口の前方に位置決めされ、および／または
前記ラウドスピーカー振動板は逆円錐もしくは円形放物面として形成される、請求項１に記載の装置。
【請求項３】
前記装置の前記中央長手方向軸に沿って前記筐体の後方に形成される少なくとも軸方向中央部を有するヒートシンク（４０）と、前記装置の前記中央長手方向軸に沿って前記前方方向に前記ヒートシンクの前記軸方向中央部から延在する熱除去柱（１２０ａ）とを備える熱除去要素（１２０）をさらに備え、前記光源は前記熱除去柱の前方端に装着される、請求項１または２に記載の装置。
【請求項４】
前記ラウドスピーカー振動板の後方、すなわち前記ヒートシンクの前記軸方向中央部のすぐ隣の前記筐体の後方部分と前記筐体の前記後方部分から前記ラウドスピーカー振動板に近位の前記筐体の前方部分に前方へ延在する前記筐体の内側側壁（１５ａ）との間に空間が規定され、前記側壁は、前記装置の長さの大部分にわたって前記後方方向に前記熱除去柱に収束せず、および／または
前記筐体の内部は、前記振動板から前記ヒートシンクの前記軸方向中央部に近位の前記筐体の前記後方部分に、前記長手方向軸に平行に後方に延在する空隙を設け、および／または
前記ヒートシンクは前記筐体の最後方部を形成し、および／または
前記ヒートシンクは複数のフィンを備え、各々のフィンは前記長手方向軸から径方向に延在する、請求項３に記載の装置。
【請求項５】
前記光源は、１つのＬＥＤ（１９５ａ）または複数のＬＥＤ（１９５ａ，１９５ｂ）を備える、請求項１から４のいずれか１項に記載の装置。
【請求項６】
前記ＬＥＤまたは各々のＬＥＤは、燐光材料で被覆される、含浸される、または燐光材料から形成されるカバー部材（２００）の方を向くように装着される青色またはＵＶ  ＬＥＤである、請求項５に記載の装置。
【請求項７】
前記カバー部材は前記青色もしくはＵＶ  ＬＥＤのための囲いを形成し、および／または
前記カバー部材の外面は半透明の白色被覆を備える、請求項６に記載の装置。
【請求項８】
前記光源の前に装着されるレンズ（１８０）またはレンズアレイをさらに備える、請求項１から７のいずれか１項に記載の装置。
【請求項９】
前記レンズもしくはレンズアレイは、前記光源の前に取外し可能に装着され、および／または
前記レンズもしくはレンズアレイは、前記光源の前に磁気的にもしくは機械的に装着される、請求項８に記載の装置。
【請求項１０】
ドームの形態のツイーターメンブレン（２５０）を有するドームツイーター（２３０）をさらに備え、前記光源は前記ツイーターメンブレンの背後に位置決めされ、前記ツイーターメンブレンは、前記光源によって生成される光を受け、かつ前記装置から遠ざかるように、特に前記装置の前記ラウドスピーカー振動板から遠ざかるように、受けた前記光を透過するまたは放射するように構成される、請求項１から９のいずれか１項に記載の装置。
【請求項１１】
前記ツイーターメンブレンは、前記光源によって生成される光を受け、受けた前記光を吸収し、かつ光を前記装置から遠ざかるように発するように適合される蛍光または燐光材料で形成される、被覆される、または含浸される、請求項１０に記載の装置。
【請求項１２】
前記長手方向軸に対して前記ラウドスピーカー振動板中の前記開口の径方向内側および前記光源の径方向外側に位置決めされるリングラジエーターツイーター（２３０’）をさらに備える、請求項１から９のいずれか１項に記載の装置。
【請求項１３】
前記ラウドスピーカー振動板の前面の前方に装着されるスピーカーグリル（４５）をさらに備える、請求項１から１２のいずれか１項に記載の装置。
【請求項１４】
前記スピーカーグリルは光拡散性および／もしくは透明／半透明のいずれかであり、ならびに／または
前記スピーカーグリルは、前記装置から遠ざかるような前記光源からの光の出射を可能にするアパーチャーを備え、ならびに／または
前記スピーカーグリルは、前記装置から遠ざかるような前記光源からの光の出射を可能にするアパーチャーを備え、かつ前記スピーカーグリルは、前記アパーチャーと同心の複数の反射面を有し、各々の反射面は、前記光源からの光を前記装置から遠ざかるように反射するように配置され、ならびに／または
前記スピーカーグリルは、前記装置から遠ざかるような前記光源からの光の出射を可能にするアパーチャーを備え、かつ前記装置は、前記グリルの前記アパーチャーの中に位置決めされる二次レンズ（２２０）をさらに備える、請求項１３に記載の装置。
【請求項１５】
マイクと、前記光および音を制御するために音声および電気信号を送受信するように構成される無線トランシーバーとをさらに備える、請求項１から１４のいずれか１項に記載の装置。
【手続補正２】
【補正対象書類名】図面
【補正対象項目名】図１８
【補正方法】変更
【補正の内容】
【図１８】
2020005297.tif 000039
【外国語明細書】
2020005297000001.pdf